(57)【要約】【課題】アンダーカバーおよびアッパーカバー間で移動するモジュールの取付位置および移動を高精度に行う画像読取装置を提供する。【解決手段】アッパーカバー１４にシャフトガイド１６を設け、モジュール１１のスライダ１８が摺動するシャフト１３を位置決めしてアンダーカバー１２と一体化される。イメージセンサおよび結像手段等を含む一体化されたモジュール１１は、アンダーカバー１２およびアッパーカバー１４間をシャフト１３に沿って移動してアッパーカバー１４の原稿載置部１９に載置された原稿を読み取る。【選択図】図１
2005283963.tif 000002
【特許請求の範囲】
【請求項１】
アンダーカバーおよびアッパーカバー間で、イメージセンサやレンズ等の結像手段を一体化したモジュールを一方向へ移動させて原稿の文字や画像情報を読み取る画像読取装置において、
前記アンダーカバーおよび前記アッパーカバーは、前記モジュールに設けられたスライダと摺動するシャフトをシャフトガイドにより位置決めして一体化されることを特徴とする画像読取装置。
【請求項２】
前記シャフトガイドは、前記アッパーカバーに一体形成され、前記シャフトの両端近傍を挟持して位置決めすることを特徴とする請求項１に記載の画像読取装置。
【請求項３】
前記シャフトガイドの１個は、前記アッパーカバーの原稿突き当て位置の近傍に形成されることを特徴とする請求項１又は２に記載の画像読取装置。
【請求項４】
前記シャフトは、前記アンダーカバーに一体形成されたシャフトガイドに挟持して位置決めされることを特徴とする請求項１に記載の画像読取装置。
【発明の詳細な説明】
【技術分野】
【０００１】
本発明は画像読取装置に関し、特にデジタルコピーマシン、イメージングスキャナ、ファクシミリ等の一般的な原稿の文字や画像情報を読み取る画像読取装置に関する。
【背景技術】
【０００２】
コンピュータを始めとする情報処理装置又は情報処理技術および通信技術の発達により、音声や文字情報のみならず画像情報の処理又は伝送の必要性が増大している。各種の図面又は書類は、ハードコピー（紙）で保管すると、保管のために相当な場所（又は空間）が占有されると共に、変色又は破損等の虞がある。そこで、斯かるデータをコンピュータ等のメモリ（記憶装置）又は光や磁気ディスク等に記憶保存すると上述した課題が解決可能である。
【０００３】
また、特定の場所等を文字により正確に説明することは極めて困難であるが、その場所を示す地図等の画像情報をファクシミリ（ＦＡＸ）等で送信すると、相手に一目瞭然に理解してもらうことが可能である。
【０００４】
このように、現代社会では、画像又は文字情報を記憶保存又は伝送するために、それらの情報を電気的又は光学的に読み取る画像読取装置（又はイメージセンサ）が必要である。斯かる画像読取技術は、多くの文献に開示されている。イメージセンサユニットのハウジングに、イメージセンサユニットを画像読取装置に対して回動可能に保持するための軸を設け、原稿を証明する光源とイメージセンサを一体化したイメージセンサユニットの画像読取装置本体への取付精度を向上させるイメージセンサユニット及びこのユニットを取り付けた画像読取装置が開示されている（例えば、特許文献１参照。）。
【０００５】
また、下原稿ガイドの開口部に、光源とセルフォックレンズおよび光センサとを保持するセンサシャーシを固定する取付部を一体的に備え、組立精度および組立性を高め、必要な部品点数および組立工数を削減してコストダウンを図る画像読取装置が開示されている（例えば、特許文献２参照。）。
【特許文献１】特開平１１-１６８５９２号公報（第４-５頁、第４図）
【特許文献２】特開平１０-１９０９４７号公報（第３頁、第１図）
【発明の開示】
【発明が解決しようとする課題】
【０００６】
上述の如き従来の画像読取装置は、多数のＣＣＤ（電化結合素子）等のイメージセンサを１方向に配列したモジュールを、イメージセンサの配列方向と直交方向へ移動（又は走査）するよう画像読取装置に移動可能に取り付けられたものである。しかし、斯かる従来の画像読取装置では、位置決めシャフトを固定するシャフトホルダ部とモジュールの位置決めセンサのＬＯＷ／ＨＩＧＨを切り替える遮光板が別部品で構成されている。そのため、カバー等のベースとなる部品に取り付けられる際には、高い組立精度が要求され、組立製造が困難であるという課題があった。
【０００７】
本発明は、従来技術の上述した課題に鑑みなされたものであり、高い組立精度が要求されず、従って迅速且つ安価に組立製造可能な画像読取装置を提供することを目的とする。
【課題を解決するための手段】
【０００８】
前述の課題を解決するため、本発明による画像読取装置は次のような特徴的な構成を採用している。
【０００９】
（１）アンダーカバーおよびアッパーカバー間で、イメージセンサやレンズ等の結像手段を一体化したモジュールを一方向へ移動させて原稿の文字や画像情報を読み取る画像読取装置において、
前記アンダーカバーおよび前記アッパーカバーは、前記モジュールに設けられたスライダと摺動するシャフトをシャフトガイドにより位置決めして一体化される画像読取装置。
【００１０】
（２）前記シャフトガイドは、前記アッパーカバーに一体形成され、前記シャフトの両端近傍を挟持して位置決めする上記（１）に記載の画像読取装置。
【００１１】
（３）前記シャフトガイドの１個は、前記アッパーカバーの原稿突き当て位置の近傍に形成される上記（１）又は（２）に記載の画像読取装置。
【００１２】
（４）前記シャフトは、前記アンダーカバーに一体形成されたシャフトガイドに挟持して位置決めされる上記（１）に記載の画像読取装置。
【発明の効果】
【００１３】
本発明の画像読取装置によると、次の如き実用上の顕著な効果を有する。即ち、モジュールのシャフトガイドと摺動するシャフトをアッパーカバー又はアンダーカバーに一体形成されたシャフトガイドに挟持して位置決めするので、読み取られる原稿に対して正確な位置決めが可能である。また、画像読取装置を簡単且つ安価に組立製造可能である。
【実施例１】
【００１４】
以下、本発明による画像読取装置の好適実施例の構成および動作を、添付図面を参照して詳細に説明する。
【００１５】
先ず、図１は、本発明による画像読取装置の好適実施例の全体構成を示す斜め上から見た斜視図である。尚、図１およびその他の図においても種々の部品が図示されているが、本発明に直接関連する部品を中心に説明することとし、直接関連しない部品については、例え図示されていても説明を省略する場合もある。
【００１６】
図１中には、画像読取装置１０のうち、原稿の文字や画像情報を読み取るイメージセンサ（図示せず）および結像手段（図示せず）等を含むモジュール１１、略矩形状のアンダーカバー（又は下カバー）１２およびモジュール１１の移動を案内するシャフト１３を示す。モジュール１１のイメージセンサは、一般に直線状に配列した多数のＣＣＤ（電化結合素子）デバイスにより構成される従来のイメージセンサである。後述する如く、画像読取装置１０のモジュール１１は、アンダーカバー１２の短辺に沿って配置され、これと直交する長辺方向へ移動（走査）可能に構成されている。
【００１７】
次に、図２は、図１に示す読取装置１０の上面にアッパーカバー（上カバー）１４が組み立てられた状態を示す斜視図である。また、図３は、図２に示すアッパーカバー１４を裏側から見た斜視図である。このアッパーカバー１４は、上述した原稿を載置するための矩形状の原稿載置部１９を有する。画像読取装置１０にて読み取られる原稿は、図２中の左側に原稿突き当て位置１９ａに突き当てて載置される。図１に示す如く、画像読取装置１０には、モジュール１１とこのモジュール１１が移動する際に摺動するシャフト１３がアンダーカバー１２に搭載されている。
【００１８】
次に、図４は、モジュール１１の斜視図を示す。このモジュール１１は、上述の如くイメージセンサやレンズ等の結像手段が一体化された比較的細長い形状である。このモジュール１１には、シャフト１３を摺動する際のガイド（又は案内部）となるスライダ１８および原稿の読取位置を検出するためのセンサ１７も設けられている。
【００１９】
また、図３に示す如く、本発明の好適実施例の画像読取装置１０では、アッパーカバー１４には、その長辺の両側に設けられ、シャフト１３の位置を決める１対のシャフトガイド１６およびセンサ１７のＨＩＧＨ／ＬＯＷを切り替える遮光板１５が一体形成されている。シャフトガイド１６の一方は、原稿突き当て位置１９ａの近傍に設けられている。
【００２０】
次に、図１〜図５を参照して本発明による画像読取装置１０の組立工程および各部の動作又は作用を説明する。図５は、アッパーカバー１４のシャフトガイド１６およびシャフト１３の組立状態を示す画像読取装置１０の部分斜視図である。即ち、シャフト１３は、その両端近傍においてシャフトガイド１６に挟持されて正確に位置決めされる。
【００２１】
本発明の画像読取装置１０は、図１に最もよく示すアンダーカバー１２にモジュール１１を組み立てる。その後に、図２および図３に示すアッパーカバー１４を組み立てることにより完成される。アンダーカバー１２にアッパーカバー１４を取り付けると、図５に示す如くシャフト１３がシャフトガイド１６により位置決めされる。また、アッパーカバー１４に遮光板１５を設けたことで、センサ１７のＨＩＧＨ／ＬＯＷが切り替わりから原稿突当て位置１９ａまでの距離は一定となり、読取開始位置精度が確保される。
【００２２】
アンダーカバー１２およびアッパーカバー１４は、既知の固定手段により固定される。例えば、これら両カバー１２、１４のコーナー部に開口を形成し、ねじ等により相互に締め付けて固定し、両カバーを一体化する。モジュール１１等の保守その他の理由で、画像読取装置１０を分解する必要性が生じた場合には、これらのねじを緩めてモジュール１１等の内部へのアクセスを可能にする。
【００２３】
以上、本発明による画像読取装置の好適実施例の構成および動作について詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること当業者には容易に理解できよう。
【００２４】
例えば、上述した好適実施例では、アッパーカバー１４に位置精度を決めるシャフト１３等の複数の部品を一体化したが、アンダーカバー１２やその他の部品と一体化することでも位置精度を向上することが可能である。
【図面の簡単な説明】
【００２５】
【図１】本発明による画像読取装置の好適実施例のアッパーカバーを含まない斜視図である。
【図２】本発明による画像読取装置のアッパーカバーの上側から見た斜視図である。
【図３】本発明による画像読取装置のアッパーカバーの裏（下）側から見た斜視図である。
【図４】本発明による画像読取装置のモジュールの斜視図である。
【図５】本発明による画像読取装置のアッパーカバーのシャフトガイドとシャフトとの位置決め状態を示す斜視図である。
【符号の説明】
【００２６】
１０  画像読取装置
１１  モジュール
１２  アンダーカバー
１４  アッパーカバー
１５  遮光板
１７  センサ
１９  原稿載置部
１９ａ  原稿突き当て位置
【図１】
2005283963.tif 000003
【図２】
2005283963.tif 000004
【図３】
2005283963.tif 000005
【図４】
2005283963.tif 000006
【図５】
2005283963.tif 000007